(57)【要約】【課題】クーポン券等の割引サービスを、確実かつ迅速に、適切な商品に割り付けることができること。【解決手段】予め割引サービスの適用可能な商品と該割引サービスによる金額情報とが対応し定められた割引サービス情報と、前記割引サービスの要求を受け付ける割引サービス要求受付部と、前記割引サービス要求受付部が受け付けた割引サービスによる金額情報と、前記買上商品中の割引サービスの適用可能な商品の価格とに基づいて、前記割引サービスによる割引額が最大になるように、前記登録した買上商品のうち、前記割引サービスの適用可能な商品の中から、前記割引サービスを割り付ける商品を決定する割付商品決定部と、前記割付商品決定部が決定した商品の価格に対し、該商品に割り付けた前記割引サービスによる金額情報に基づく割引処理をして前記精算処理を行う精算処理部と、を備える精算装置。【選択図】図２
2010049567.tif 000002
【特許請求の範囲】
【請求項１】
買上商品を登録し、該登録した買上商品のうちいずれかの商品に割引サービスを割り付けて精算処理を行う精算装置であって、
予め割引サービスの適用可能な商品と該割引サービスによる金額情報とが対応し定められた割引サービス情報と、
前記割引サービスの要求を受け付ける割引サービス要求受付部と、
前記割引サービス要求受付部が受け付けた割引サービスによる金額情報と、前記買上商品中の割引サービスの適用可能な商品の価格とに基づいて、前記割引サービスによる割引額が最大になるように、前記登録した買上商品のうち、前記割引サービスの適用可能な商品の中から、前記割引サービスを割り付ける商品を決定する割付商品決定部と、
前記割付商品決定部が決定した商品の価格に対し、該商品に割り付けた前記割引サービスによる金額情報に基づく割引処理をして前記精算処理を行う精算処理部と、
を備えることを特徴とする精算装置。
【請求項２】
前記金額情報は割引額であって、
前記割付商品決定部は、商品価格が前記割引額以上である前記割引サービスの適用可能な商品を、優先して前記割引サービスを割り付ける商品とする
ことを特徴とする請求項１に記載の精算装置。
【請求項３】
前記金額情報は割引額であって、
前記割付商品決定部は、前記買上商品のうち、商品価格が前記割引額以上である前記割引サービスの適用可能な商品がない場合、価格が最も高い前記割引サービスの適用可能な商品を、前記割引サービスを割り付ける商品とする
ことを特徴とする請求項１又は２に記載の精算装置。
【請求項４】
前記金額情報は割引額であって、
前記割引サービス要求受付部は、前記割引額が異なる複数の前記割引サービスの要求を受け付け、
前記割付商品決定部は、前記買上商品のうち割引サービスの適用可能で価格の異なる商品が複数登録されている場合、前記割引額の高低関係が、該割引額の割引サービスを割り付ける商品の価格の高低関係と一致するように、前記割引サービスを割り付ける商品を決定する
ことを特徴とする請求項２又は３に記載の精算装置。
【請求項５】
前記金額情報は割引率であって、
前記割付商品決定部は、前記買上商品のうち商品価格が高い前記割引サービスの適用可能な商品の順に、前記割引率が高い順の前記割引サービスを適用するように、前記割引サービスを割り付ける商品を決定する
ことを特徴とする請求項１に記載の精算装置。
【請求項６】
前記割付商品決定部は、前記買上商品のうち前記割引サービスの適用可能な商品が前記割引サービス以外の割引を割り付ける対象となる場合、該割引サービスの適用可能な商品を、前記割引サービスを割り付ける商品として決定しない
ことを特徴とする請求項１乃至５のいずれか１の項に記載の精算装置。
【請求項７】
前記割引サービスの種類毎、又は、前記割引サービスの適用可能な商品毎に、前記割付商品決定部が行った割引に関する情報を集計する割引情報集計部を備える
ことを特徴とする請求項１乃至６のいずれか１の項に記載の精算装置。
【請求項８】
買上商品を登録し、該登録した買上商品のうちいずれかの商品に割引サービスを割り付けて精算処理を行う精算装置における精算方法において、
予め割引サービスの適用可能な割引サービスの適用可能な商品と該割引サービスによる金額情報とが予め定められた割引サービス情報と、前記割引サービスの要求を受け付ける第1の過程と、
前記第1の過程にて受け付けた割引サービスによる金額情報と、前記買上商品中の割引サービスの適用可能な商品の価格とに基づいて、前記割引サービスによる割引額が最大になるように、前記登録した買上商品のうち、前記割引サービスの適用可能な商品の中から、前記割引サービスを割り付ける商品を決定する第２の過程と、
前記第２の過程にて決定した商品の価格に対し、該商品に割り付けた前記割引サービスによる金額情報に基づく割引処理をして前記精算処理を行う第３の過程と、
を有することを特徴とする精算方法。
【発明の詳細な説明】
【技術分野】
【０００１】
本発明は、精算装置、及び精算方法に関する。
【背景技術】
【０００２】
カフェ等にて所定の金額分のドリンクを無料にするコーヒークーポン券等が会計の際に利用されており、そのクーポン券等の精算処理方法として以下の方法が採られている。
１．使用されたクーポン券を一取引で登録された商品のうち、登録された商品の順に自動的にクーポン券が商品に割り付けられて割引処理をする。
２．使用するクーポン券をオペレータがマニュアル操作で商品に割り付けて処理をする。
３．クーポン券を商品に割り付けず一取引の合計金額から、クーポン券による割引額を減算して処理をする（例えば、特許文献１）。
【特許文献１】特開２００１−２５６５７１号公報
【発明の開示】
【発明が解決しようとする課題】
【０００３】
しかしながら、上記１の場合は、初めに登録された商品が例えばクーポン券による割引額以下の商品の場合は、最大でもその商品の代金までしか割引を受けることができず、お客はクーポン券による利益を十分に享受できないという問題があった。
また、上記２の場合は、どの商品にクーポンを割り付けて良いかの判断をオペレータが会計の際、瞬時に判断することは難しく会計処理に時間が掛かったり、あるいはクーポン券の商品への割り付けを間違ってしまうという問題があった。
また、上記３の場合は、どの商品から割引処理がされたかを把握することができず、割引費用の負担の集計やマーケティング調査の集計が十分にできないという問題があった。
このように、従来では、クーポン券等の割引サービスを、確実かつ迅速に、適切な商品に割り付けることができないという問題があった。
【０００４】
本発明は上記問題に鑑みてなされたものであり、その目的は、クーポン券等の割引サービスを、確実かつ迅速に、適切な商品に割り付けることができる精算装置、及び精算方法を提供することにある。
【課題を解決するための手段】
【０００５】
（１）本発明は上記の課題を解決するためになされたものであり、その一態様は、買上商品を登録し、該登録した買上商品のうちいずれかの商品に割引サービスを割り付けて精算処理を行う精算装置であって、予め割引サービスの適用可能な商品と該割引サービスによる金額情報とが対応し定められた割引サービス情報と、前記割引サービスの要求を受け付ける割引サービス要求受付部と、前記割引サービス要求受付部が受け付けた割引サービスによる金額情報と、前記買上商品中の割引サービスの適用可能な商品の価格とに基づいて、前記割引サービスによる割引額が最大になるように、前記登録した買上商品のうち、前記割引サービスの適用可能な商品の中から、前記割引サービスを割り付ける商品を決定する割付商品決定部と、前記割付商品決定部が決定した商品の価格に対し、該商品に割り付けた前記割引サービスによる金額情報に基づく割引処理をして前記精算処理を行う精算処理部と、を備えることを特徴とする精算装置である。
上記構成によると、前記精算装置は、前記割引サービス要求受付部が受け付けた割引サービスによる金額情報と、前記割引サービスの適用可能な商品の価格とに基づいて、前記割引サービスによる割引額が最大になるように、前記割引サービスを割り付ける商品を決定するので、クーポン券等の割引サービスを、確実かつ迅速に、適切な商品に割り付けることができる。また、本発明による金額情報とは、一定の金額を減算する割引額、あるいは、一定の率の金額を減算する割引いずれをも含むものである。
【０００６】
（２）また、本発明の一態様は、前記金額情報は割引額であって、前記割付商品決定部は、商品価格が前記割引額以上である前記割引サービスの適用可能な商品を、優先して前記割引サービスを割り付ける商品とすることを特徴とする精算装置である。
上記構成によると、前記精算装置は、商品価格が割引額以上である割引サービスの適用可能な商品を、割引サービスを割り付ける商品とするので、当該商品から割引額を全て割り引くことができ、割引サービスによる割引が最大となる適切な商品に割引サービスを割り付けることができる。
【０００７】
（３）また、本発明の一態様は、前記金額情報は割引額であって、前記割付商品決定部は、前記買上商品のうち、商品価格が前記割引額以上である前記割引サービスの適用可能な商品がない場合、価格が最も高い前記割引サービスの適用可能な商品を、前記割引サービスを割り付ける商品とすることを特徴とする精算装置である。
上記構成によると、前記精算装置は、商品価格が割引額以上である割引サービスの適用可能な商品がない場合であっても、その中でも価格が最も高い商品を、割引サービスを割り付ける商品とするので、買上商品のうち最も価格が高い商品分の割引サービスを割り付けることができる。
【０００８】
（４）また、本発明の一態様は、前記金額情報は割引額であって、前記割引サービス要求受付部は、前記割引額が異なる複数の前記割引サービスの要求を受け付け、前記割付商品決定部は、前記買上商品のうち割引サービスの適用可能で価格の異なる商品が複数登録されている場合、前記割引額の高低関係が、該割引額の割引サービスを割り付ける商品の価格の高低関係と一致するように、前記割引サービスを割り付ける商品を決定することを特徴とする精算装置である。
上記構成によると、割引額の異なる割引サービスが複数あり、また、割引サービスの適用可能な商品で価格の異なる商品が複数登録されている場合、割引額の高い割引サービスは価格の高い商品に割り付けられ、割引額の低い割引サービスは価格の低い商品に割り付けられることで、それぞれの割引額の割引サービスを最大限に発揮させるようにすることができる。
【０００９】
（５）また、本発明の一態様は、前記金額情報は割引率であって、前記割付商品決定部は、前記買上商品のうち商品価格が高い前記割引サービスの適用可能な商品の順に、前記割引率が高い順の前記割引サービスを適用するように、前記割引サービスを割り付ける商品を決定することを特徴とする精算装置である。
上記構成によると、前記精算装置は、買上商品のうち商品価格が高い割引可能商品の順に、割引率が高い順の割引サービスが適用されるので、割引率が高い割引サービスを商品価格が高い商品に割り付けることができ、割引サービスによる割引が最大となる適切な商品に割引サービスを割り付けることができる。
【００１０】
（６）また、本発明の一態様は、前記割付商品決定部は、前記買上商品のうち前記割引サービスの適用可能な商品が前記割引サービス以外の割引を割り付ける対象となる場合、該割引サービスの適用可能な商品を、前記割引サービスを割り付ける商品として決定しないことを特徴とする精算装置である。
上記構成によると、前記精算装置は、前記割引サービス以外の割引を優先して買上商品に適用することができる。
【００１１】
（７）また、本発明の一態様は、前記割引サービスの種類毎、又は、前記割引サービスの適用可能な商品毎に、前記割付商品決定部が行った割引に関する情報を集計する割引情報集計部を備えることを特徴とする精算装置である。
上記構成によると、前記精算装置は、割引サービスの種類毎、又は、割引可能商品毎に、割引適用部が行った割引に関する情報を集計するので、どの商品に割引が適用されたかを把握でき、割引費用の負担割合の計算や、マーケティング調査の集計を十分に行うことができる。
【００１２】
（８）また、本発明の一態様は、買上商品を登録し、該登録した買上商品のうちいずれかの商品に割引サービスを割り付けて精算処理を行う精算装置における精算方法において、  予め割引サービスの適用可能な割引サービスの適用可能な商品と該割引サービスによる金額情報とが予め定められた割引サービス情報と、前記割引サービスの要求を受け付ける第1の過程と、前記第1の過程にて受け付けた割引サービスによる金額情報と、前記買上商品中の割引サービスの適用可能な商品の価格とに基づいて、前記割引サービスによる割引額が最大になるように、前記登録した買上商品のうち、前記割引サービスの適用可能な商品の中から、前記割引サービスを割り付ける商品を決定する第２の過程と、前記第２の過程にて決定した商品の価格に対し、該商品に割り付けた前記割引サービスによる金額情報に基づく割引処理をして前記精算処理を行う第３の過程と、を有することを特徴とする精算方法である。
【発明の効果】
【００１３】
本発明によれば、精算装置は、受け付けた割引サービスによる金額情報と、割引サービスの適用可能な商品の価格とに基づいて、割引サービスによる割引額が最大になるように、割引サービスを割り付ける商品を決定するので、クーポン券等の割引サービスを、確実かつ迅速に、適切な商品に割り付けることができる。
【発明を実施するための最良の形態】
【００１４】
＜ＰＯＳ端末装置１の外観について＞
以下、図面を参照しながら本発明の実施形態について詳しく説明する。図１は、この発明の実施形態に係るＰＯＳ端末装置１（精算装置）の外観前方斜視図および側面図である。ＰＯＳ端末装置１は液晶タッチパネル１１と、入力キー１２と、レシート発行部１３と、顧客側表示部１４とを備える。
【００１５】
液晶タッチパネル１１は表面部に透明な接点スイッチであるタッチキーが設けられており、モード切替と、設定と、登録等の操作と、表示とを行う。入力キー１２はメカキーからなり、テンキーと、登録用ファンクションキーと、小計キーと、現計キー等とを備える。レシート発行口１３は、レシートを発行して排出させる機能を持ち、この奥にレシートと、ジャーナルプリンタとがある。顧客側表示部１４は７セグメントディスプレイであり、顧客に対して品名や値段の表示を行う。
【００１６】
本実施形態では、割引サービスとして、割引サービスの適用可能な商品と、該割引サービスによる割引額（割引サービスによる金額情報）とが予め定められたクーポン券が、顧客に配布される。顧客が買上商品の注文の際にクーポン券を提示すると、オペレータ（店員）は、ＰＯＳ端末装置１の液晶タッチパネル１１より、クーポン券の情報を入力する。ＰＯＳ端末装置１は、登録された買上商品のうち、クーポン券が使用される商品を特定して、該商品の価格から、入力されたクーポン券の情報に対応する割引額を割り引いた合計金額を算出する等の精算処理を行う。
なお、クーポン券による割引サービスは、１商品に対して１回まで割り付けることができるとする。しかし、本発明はこれに限らず、買上商品の価格から割引額を割り引いた割引適用後の買上商品の金額を、再度、買上商品の価格とみなすことで、割引サービスを、１商品に対して２回以上割り付けることができる場合についても、適用してもよい。
【００１７】
＜ＰＯＳ端末装置１のハードウェア構成について＞
図２は、本実施形態に係るＰＯＳ端末装置１に内蔵される電気回路構成を示す電気ブロック図である。ＰＯＳ端末装置１に内蔵される電気回路は、ＣＰＵ（Ｃｅｎｔｒａｌ  Ｐｒｏｃｅｓｓｉｎｇ  Ｕｎｉｔ：中央処理装置）２１、ＨＤＤ（Ｈａｒｄ  Ｄｉｓｋ  ｄｒｉｖｅ：ハードディスク）２２、ＲＡＭ（Ｒａｎｄｏｍ  Ａｃｃｅｓｓ  Ｍｅｍｏｒｙ：ランダムアクセスメモリ）２３、液晶タッチパネル１１、顧客側表示器１４、入力キー１２、ブザー２４、印字部２５、ドロア２６、及び時計部２７を備える。
【００１８】
ＣＰＵ２１は、ＰＯＳ端末装置１全体の制御や演算処理を行う。ハードディスク２２は、ＣＰＵ２１の実行プログラムや、商品ファイルや、クーポンファイル、買上実績ファイルなどの各種ファイルデータを記憶する。ＲＡＭ２３はＣＰＵ２１が制御、演算を行うためのワークエリアとして使われ、フラグファイルが記憶される領域を有している。また、ハードディスク２２に格納されたプログラムは、商品ファイルなどの各種ファイルデータとともにＰＯＳ端末装置１の起動時にＲＡＭ２３に書き込まれる。これによって、ＣＰＵ２１による各部の駆動制御が可能になる。印字部２５はジャーナルプリンタであり、レシートの印字を行う。
【００１９】
＜ＰＯＳ端末装置１の機能的構成について＞
図３は、本実施形態に係るＰＯＳ端末装置１の機能ブロック図である。
ＰＯＳ端末装置１は、買上商品登録受付部１０１、買上商品記憶部１０２、割引サービス要求受付部１０３、受付割引サービス記憶部１０４、割引サービス情報記憶部１０５、商品情報記憶部１０６、割付商品決定部１０７、精算処理部１０８、買上実績情報記憶部１０９、及び割引情報集計部１１０を含んで構成される。
【００２０】
買上商品登録受付部１０１は、オペレータに液晶タッチパネル１１又は入力キー１２を操作させることより、買上商品の入力を受け付ける。
買上商品登録受付部１０１は、ＲＡＭ２３の登録データエリアに相当し、顧客からの注文を受け付けて支払いが完了するまでの一連の取引を識別する取引番号、該取引番号の取引で受け付けた買上商品の商品番号、個数を、買上商品記憶部１０２に記憶させる（図７参照）。
【００２１】
割引サービス要求受付部１０３は、液晶タッチパネル１１に表示されるクーポン１キー、クーポン２キーに相当し、クーポン券による割引サービスの入力を受け付ける。受付割引サービス記憶部１０４は、ＲＡＭ２３のクーポンデータエリアに相当し、一取引で受け付けたクーポン券の種類を識別するクーポン番号、及び受け付けた回数を記憶する（図８参照）。
【００２２】
割引サービス情報記憶部１０５は、ＨＤＤ２２に相当し、クーポンファイル（図５）を記憶する。クーポンファイルは、クーポン番号に対応付けて、クーポン券による割引サービスが適用可能な商品が属する部門を示す部門番号、及びクーポン券による割引額を記憶する。なお、図５の場合、部門「０００１」は、ドリンクの商品が属する部門を示し、クーポン１、２共に部門「０００１」の商品である。
商品情報記憶部１０６は、ＨＤＤ２２に相当し、商品ファイル（図４）を記憶する。商品ファイルは、商品を識別する商品番号に対応づけて、商品が属する部門を示す部門番号、商品の品名、及び商品の価格を記憶する。
【００２３】
割付商品決定部１０７は、ＣＰＵ２１に相当し、受付割引サービス記憶部１０４が記憶する割引サービス情報の部門番号と、買上商品記憶部１０２が記憶する買上商品の部門番号と、が同じ部門番号である買上商品の商品番号を選択する。割付商品決定部１０７は、選択した商品番号の買上商品に対して、割引サービス情報記憶部１０５が記憶する割引額と、買上商品記憶部１０２が記憶する商品の価格とに基づいて、割引サービスを割り付ける商品を決定する。
割付商品決定部１０７が行う割引サービスを割り付ける商品の決定方法についての詳細は、後述する。
割付商品決定部１０７は、割引サービスを割り付ける商品の商品番号にクーポン番号を対応づけた情報（図７）に、商品情報記憶部１０６が記憶する商品ファイルの情報と、割引サービス情報記憶部１０５が記憶するクーポンファイルの情報と、を対応させた精算情報を精算処理部１０８に出力する。
【００２４】
精算処理部１０８は、ＣＰＵ２１に相当し、割付商品決定部１０７から入力された精算情報の商品番号の商品について、商品の価格から該商品に対応づけられたクーポン番号の割引額を割り引いた金額を算出し、買上商品の合計金額の算出等の精算処理を行う。すなわち、割付商品決定部１０７が決定した商品の価格に対し、該商品に割り付けた割引サービスによる割引額に基づく割引処理をして前記精算処理を行う。
精算処理部１０８は、精算処理が完了すると、計時部２７より精算処理が完了した時刻である取引日時を読み出して、買上実績ファイル（図９）の情報を生成し、生成した買上実績ファイルを買上実績情報記憶部１０９に記憶させる。
【００２５】
割引情報集計部１１０は、クーポン番号毎、又は、商品番号毎に、クーポンの利用数やクーポンにより割引処理をした金額の合計を集計する。
【００２６】
＜ＰＯＳ端末装置１が記憶する情報について＞
以下、ＰＯＳ端末装置１が記憶する情報について、図４〜図９を用いて説明をする。
図４は、本実施形態に係る商品ファイルのデータ構造の一例を示す概略図である。図示するように、商品ファイルは、商品番号、部門番号、品名、及び価格の各項目を有している。
【００２７】
商品番号は、商品を識別する番号を示す。また、部門番号は、予め定められた商品が属する部門を示す。例えば、部門番号「０００１」は、ドリンク（飲料）部門であり、部門番号「０００２」は、フード（食品）部門である。
また、品名は、商品の名称を示し、価格は、商品の価格を示す。
【００２８】
例えば、この図は、商品番号「１１１１８」の商品は、部門番号「０００１」のドリンク部門に属し、品名「ＡＡＡコーヒー」、価格「３００」円であることを示す。他の行については図示するとおりである。
【００２９】
図５は、本実施形態によるクーポンファイルのデータ構造の一例を示す概略図である。図示するように、クーポンファイルは、クーポン番号、部門番号、割引額の各項目を有している。
【００３０】
クーポン番号は、クーポン券の種類を識別する番号を示す。また、部門番号は、クーポン番号のクーポン券による割引サービスを適用可能な商品が属する部門を示し、割引額は、クーポン番号のクーポン券の割引サービスにより割り引く金額を示す。
例えば、この図は、クーポン番号「１」のクーポン券は、部門番号「０００１」のドリンク部門に属する商品に対し、割引額「２００」円を割り引くことを示す。
なお、一つのクーポン番号に設定される部門番号は複数であってもよい。
【００３１】
図６は、本実施形態によるＲＡＭ２３のメモリマップの一例を示す概略図である。図示するように、メモリマップには、ワークエリア、登録データエリア、クーポンデータ等が含まれる。ワークエリアは、フラグレジスタ等を設けて計算等を行うためのエリアである。以下、登録データエリアとクーポンデータエリアのデータ構造について、図７、図８を用いて説明する。
【００３２】
図７は、本実施形態による登録データエリアのデータ構造の一例を示す概略図である。図示するように、登録データエリアのデータは取引中のデータが記憶され、取引番号、商品番号、個数、クーポン番号の各項目を有している。
取引番号は、顧客からの注文を受け付けて支払いが完了するまでの一連の取引を識別する番号である。この取引番号は、一取引毎に払い出される。例えば、入力キー１２にて、取引完了を示す現計キーが押下され、買上商品の合計金額の算出等が完了すると、ＰＯＳ端末装置１は、登録データエリアのデータをクリアし、取引番号を「１」だけカウントアップする。そして、ＰＯＳ端末装置１は、新たな買上商品の入力が開始されると、カウントアップした取引番号を読み出す。また、一取引が終了すると、取引番号は「１」カウントアップされ、その他の商品番号、個数、クーポン番号は、クリアされる。
【００３３】
また、商品番号は、買上商品登録受付部１０１が受け付けた買上商品の商品番号であり、個数は、その買上商品の買上げ数を示す。
また、クーポン番号は、割付商品決定部１０７が商品番号の商品に割り付けた割引サービスのクーポン番号を示す。
【００３４】
例えば、この図は、取引番号「０００１」の取引において、商品番号「１１１１７」の商品が、個数「１」個買い上げられ、その商品に対して、割付商品決定部１０７がクーポン番号「１」の割引サービスを割り付けたことを示す。
【００３５】
図８は、本実施形態によるクーポンデータエリアのデータ構造の一例を示す概略図である。図示するように、クーポンデータエリアのデータは、一取引中に押下されたクーポンキーの番号と回数との各項目を有している。
クーポン番号は、割引サービス要求受付部１０３が受け付けたクーポン券の種類を識別する番号を示す。また、回数は、割引サービス要求受付部１０３が受け付けたクーポン番号の割引サービスを適用する回数を示す。
例えば、この図は、クーポン番号「１」の割引サービスを「１」回適用することを受け付けたことを示す。
【００３６】
図９は、本実施形態による買上実績ファイルのデータ構造の一例を示す概略図である。図示するように買上実績ファイルは、取引番号、取引日時、商品番号、個数、クーポン１、クーポン２、預かり金額、合計金額、釣銭額の各項目を有している。
取引番号、商品番号、及び個数は、登録データエリアのデータと同じ項目である。取引日時は、精算処理が完了した時刻を示す。また、クーポン１、クーポン２は、それぞれ、クーポン番号「１」、「２」の割引サービスが割り付けられた回数を示す。
預かり金は、買上商品の合計金額に対して顧客から預かった金額を、オペレータが入力キー１２等により入力した金額を示す。また、合計金額は、取引番号の取引において登録された買上商品の割引適用後の合計金額を示す。また、釣銭額は、預かり金額から合計金額を差し引いた釣銭の金額を示す。これらの内容は、一取引が終了する毎に登録データエリアの内容が買上実績ファイルへ取引番号毎に移行される。
【００３７】
例えば、この図は、取引番号「０００１」の取引において、商品番号「１１１１７」（品名「ＡＢＣジュース」）と、商品番号「１１１１８」（品名「ＡＡＡコーヒー」）とが、それぞれ、１個ずつ買い上げられたことを示す。また、この図は、取引番号「０００１」の取引において、クーポン番号「１」のクーポン券が１回、受け付けられ、当該クーポン番号「１」の割引サービスが商品番号「１１１１８」に割り付けられたことを示す。また、この図は、取引番号「０００１」の取引において、合計金額が「２５０」円であり、預かり金「２５０」円に対し、釣銭額が「０」円であることを示す。
このように、どの商品番号に対して、どのクーポンが使用されたかを記憶しているので、これらの情報により、クーポンの種類毎や商品番号毎にクーポンの使用枚数を集計することが可能になる。
【００３８】
なお、商品ファイル、クーポンファイル、及び買上実績ファイルは、ＨＤＤ２２に記憶され、登録データエリア、及びクーポンデータエリアのデータは、ＲＡＭ２３に記憶される。
【００３９】
＜ＰＯＳ端末装置１の画面について＞
図１０は、本実施形態による液晶タッチパネル１１の画面の一例を示す概略図である。この図は、画面が、買上データ表示エリア８０１と、プリセットキーエリア８０２とから構成されていることを示す。
【００４０】
この図において、買上データ表示エリア８０１には、登録された買上商品の品名、価格（単価）、個数、及び金額が表示されている。例えば、この図は、品名「ＡＢＣジュース」は、単価「１５０」円であり、個数「１」個の登録を受け付けて、その商品の小計金額が金額「１５０」円であることを示す。
また、この図において、買上データ表示エリア８０１には、「クーポン１」と「−￥２００」が表示される。なお、この表示は、小計キー押下後に表示される。
この表示は、直前に表示された品名「ＡＡＡコーヒー」に、クーポン番号「１」のクーポン１が割り付けられ、割り付けられた品名「ＡＡＡコーヒー」の小計金額から、割引額「２００」円を割り引いたことを示す。つまり、この図は、品名「ＡＡＡコーヒー」は、単価「３００」円で「１」個登録され、クーポン１の割引額「２００」円が割り引かれたため、小計金額が「１００」円であることを示す。
また、この図において、合計「２５０」円は、商品毎の小計の合計金額を示す。
【００４１】
この図において、プリセットキーエリア８０２には、タッチキーが表示されている。オペレータがこのタッチキーが示すエリアに触れると、ＰＯＳ端末装置１は、触れられた画面位置の情報を感知し、触れられたエリアに対応するキー番号を入力する。なお、このタッチキーの表示名、表示色、表示エリア、及び表示エリアに対応するキー番号の情報は、キーファイルに格納され、予めＨＤＤ２２に記憶されており、該キー番号に対応する商品番号の商品が読み出される。
【００４２】
例えば、この図は、オペレータが表示名「ＡＡＡコーヒー」と表示された四角で囲まれたエリア８０２１に触れると、対応するキー番号（例えば、キー番号「９」）が入力されることを示す。この入力があった場合、ＰＯＳ端末装置１は、キー番号「９」に対応付けられた商品番号（本実施形態では、表示名と同じ品名の商品番号「１１１１８」）を、買上商品として、ＲＡＭ２３の登録データエリアに登録する（図７参照）。
【００４３】
また、例えば、この図は、オペレータが表示名「クーポン１」と表示された四角で囲まれたエリア８０２２に触れると、対応するキー番号「２６」が入力されることを示す。この入力があった場合、ＰＯＳ端末装置１は、キー番号「２６」に対応付けられたクーポン番号（本実施形態では、表示名に対応するクーポン番号「１」）を、受け付けた割引サービスとして、ＲＡＭ２３のクーポンデータエリアに登録する（図８参照）。
なお、このクーポン番号の登録は、１回のタッチキーへの接触毎に、クーポン番号の割引サービスを適用する回数が１回増える。
【００４４】
＜ＰＯＳ端末装置１の動作について＞
図１１は、本実施形態によるＰＯＳ端末装置１の動作を示すフロー図である。なお、この図を用いて、割付商品決定部１０７が行う割引サービスを割り付ける商品の決定方法についての詳細についても説明する。
【００４５】
（ステップＳ１０１）ＰＯＳ端末装置１は、液晶タッチパネル１１より、割引を適用するクーポン券のクーポン番号とその割引サービスを適用する回数の入力を受け付ける。その後、ステップＳ１０２に進む。
（ステップＳ１０２）ＰＯＳ端末装置１は、液晶タッチパネル１１より、買上商品の登録を受け付ける。その後、ステップＳ１０３に進む。なお、ステップＳ１０１とステップＳ１０２は、逆であってもよい。
（ステップＳ１０３）ＰＯＳ端末装置１は、オペレータが小計キーを押下すると、支払金額の算出を開始し、ステップＳ１０４に進む。
【００４６】
＜割引サービスを割り付ける商品の決定方法＞
ＰＯＳ端末装置１の割付商品決定部１０７は、ステップＳ１０４からステップＳ１０８の動作により、割引サービスを割り付ける商品を決定する。
【００４７】
（ステップＳ１０４）割付商品決定部１０７は、ステップＳ１０１にて入力されたクーポン券の割引サービス（以下、クーポンという）が割り付けられていない割引サービス（以下、未割り付けのクーポンという）について、その割引サービスを適用可能な買上商品であって、割引サービスが割り当てられていない買上商品（以下、割引対象となる買上商品という）があるか否かを判定する。
具体的に、割付商品決定部１０７は、未割り付けのクーポンの部門番号と、買上商品の部門番号と、が同じ部門番号があるか否かによって、そのクーポンを適用可能な買上商品か否かを判定する。
【００４８】
ステップＳ１０４の判定にて、割引対象となる買上商品があると判定された場合（Ｙｅｓ）、ステップＳ１０５に進む。一方、ステップＳ１０４の判定にて、割引対象となる買上商品がないと判定された場合（Ｎｏ）、ステップＳ１０９に進む。
【００４９】
（ステップＳ１０５）割付商品決定部１０７は、未割り付けのクーポンのうち、クーポンによる割引額が、最も高いクーポンを選択する。その後、ステップＳ１０６に進む。
【００５０】
（ステップＳ１０６）割付商品決定部１０７は、ステップＳ１０５で選択したクーポンの割引額以上の価格の割引対象となる買上商品があるか否かを判定する。  
ステップＳ１０６の判定にて、クーポンの割引額以上の価格の割引対象となる買上商品があると判定された場合（Ｙｅｓ）、ステップＳ１０７に進む。一方、ステップＳ１０６の判定にて、クーポンの割引額以上の価格の割引対象となる買上商品がないと判定された場合（Ｎｏ）、ステップＳ１０８に進む。
【００５１】
（ステップＳ１０７）割付商品決定部１０７は、クーポンの割引額以上の価格の割引対象となる買上商品のうち、一番低額な価格の商品に、ステップＳ１０５で選択したクーポンを割り付ける。その後、ステップＳ１０４に進む。
（ステップＳ１０８）割付商品決定部１０７は、割引対象となる買上商品のうち、最も高額な価格の買上商品に、ステップＳ１０５で選択したクーポンを割り付ける。その後、ステップＳ１０４に進む。すなわち、割付商品決定部１０７は、価格が割引額以上である割引サービスの適用可能な商品がない場合、価格が最も高い割引サービスの適用可能な商品を、割引サービスを割り付ける商品とする。
【００５２】
（ステップＳ１０９）ＰＯＳ端末装置１は、未割り付けのクーポンがあるか否かを判定する。
ステップＳ１０９の判定にて、未割り付けのクーポンがあると判定された場合（Ｙｅｓ）、ステップＳ１１０に進む。一方、ステップＳ１０９の判定にて、未割り付けのクーポンがないと判定された場合（Ｎｏ）、ステップＳ１１１に進む。
【００５３】
（ステップＳ１１０）ＰＯＳ端末装置１は、未割り付けのクーポンを液晶タッチパネル１１に表示する。つまり、クーポン利用のためにクーポンキーは押下されたが、買上商品では、そのクーポンは使用できない場合、例えば、ドリンク部門に使用できるクーポンであるが、買上商品にはドリンクの部門の商品は登録されていない場合には、未割り付けのクーポンが液晶タッチパネル１１に表示される。その後、ステップＳ１１１に進む。
（ステップＳ１１１）ＰＯＳ端末装置１は、ステップＳ１０７やステップＳ１０８で割り付けられたクーポンによるサービスに基づき、買上商品の金額を算出する。その後、ステップＳ１１２に進む。
【００５４】
（ステップＳ１１２）ＰＯＳ端末装置１は、ステップＳ１１２にて算出した買上商品の金額の合計金額を算出して、液晶タッチパネル１１及び顧客側表示器１４に表示する。その後、ステップＳ１１３に進む。
（ステップＳ１１３）オペレータが顧客から買上商品の合計金額に対して預かった預かり金額を入力キー１２から入力すると、ＰＯＳ端末装置１は、預かり金額から合計金額を差し引いた釣銭額を算出し、液晶タッチパネル１１及び顧客側表示器１４に表示する。また、ＰＯＳ端末装置１は、レシート発行部１３からレシートを出力する。
【００５５】
＜割引サービスを割り付ける商品の具体例＞
以下、割引サービスを割り付ける商品の具体例について説明する。
【００５６】
（具体例１）
図１２は、本実施形態による割引サービスの割り付けを説明する説明図である。この図において、表Ｓ１は、商品番号「１１１１７」、「１１１１８」の順に買上商品が登録されたことを示す。また、表Ｃ１は、クーポン番号「１」のクーポン（以下、クーポン１という）が入力されたことを示す。
この場合、この図に示すように、クーポン番号「１」の割引額「２００」円以上の価格（「３００」円）である商品番号「１１１１８」の買上商品に、クーポン１が割り付けられる。
以下、図１１のフロー図を用いて、説明をする。
【００５７】
クーポン番号「１」のクーポンが入力され（Ｓ１０１）、商品番号「１１１１７」、「１１１１８」の順に買上商品が登録される（Ｓ１０２）。
【００５８】
クーポン１が適用可能な部門番号は「０００１」であり（図５）、商品番号「１１１１７」、「１１１１８」の商品が属する部門の部門番号は「０００１」であり同一である。よって、ステップ１０４にて、割引対象となる買上商品（商品番号「１１１１７」、「１１１１８」）があると判定される。
次に、Ｓ１０５にて、クーポン１が選択される。次に、ステップＳ１０６にて、その割引額「２００」円（図５）以上の価格の買上商品として、価格「３００」円である商品番号「１１１１８」（図４）の買上商品があると判定され、ステップＳ１０７にて、商品番号「１１１１８」の買上商品に、クーポン１が割り付けられる。次に、ステップＳ１０４にて未割り付けのクーポンはないとして、Ｓ１０９以降の処理が行われる。
【００５９】
この場合、商品番号「１１１１８」の買上商品は、価格「３００」円から割引額「２００」円が割り引かれ、商品番号「１１１１７」の買上商品の価格「１５０円」と合わせた合計金額は、「２５０」円となる。
仮に、登録順に割引サービスを適用したとすると、商品番号「１１１１７」の買上商品に割引額「２００」円の割引サービスが割り付けられ、商品番号「１１１１７」の買上商品は、価格「１５０」円が割り引かれる。この場合、商品番号「１１１１８」の買上商品の価格「３００円」と合わせた合計金額は、「３００」円となり、本実施形態の割り付け方法を適用した場合比較し、合計金額が「５０」円高くなってしまう。
このように、ＰＯＳ端末装置１は、クーポンの割引額以上の買上商品に、優先して割引サービスを割り付けるので、買上商品の価格から割引額を全て割り引くことができ、割引サービスを確実かつ迅速に、適切な商品に割り付けることができる。
【００６０】
（具体例２）
図１３は、本実施形態による割引サービスの割り付けを説明する別の説明図である。この図において、表Ｓ２は、商品番号「１１１１７」、「１１１１８」「１１１１１」の順に買上商品が登録されたことを示す。また、表Ｃ１は、クーポン１が入力されたことを示す。
この場合、この図に示すように、クーポン番号「１」の割引額「２００」円以上の価格である商品番号「１１１１８」「１１１１１」の買上商品のうち、低い価格である商品番号「１１１１１」の買上商品に、クーポン１が割り付けられる。
以下、図１１のフロー図を用いて、説明をする。
【００６１】
クーポン１が入力され（Ｓ１０１）、商品番号「１１１１７」、「１１１１８」「１１１１１」の順に買上商品が登録される（Ｓ１０２）。
この場合、上記具体例１におけるステップＳ１０７にて、割引額「２００」円以上の買上商品であって、商品番号「１１１１８」の価格「３００」円より、低い価格である価格「２００」円の商品番号「１１１１１」の買上商品に、クーポン１が割り付けられる。
【００６２】
（具体例３）
図１４は、本実施形態による割引サービスの割り付けを説明する別の説明図である。この図において、表Ｓ３は、商品番号「１１１１８、「１１１１７」、「１１１１１」「１１１１５」の順に買上商品が登録されたことを示す。また、表Ｃ２は、クーポン１が入力され、次にクーポン番号「２」の割引サービス（以下、クーポン２という）が入力されたことを示す。
この場合、割引額が高額なクーポン２から買上商品に割り付けられ、まず、この図に示すように、クーポン番号「２」の割引額「３００」円以上の価格である商品番号「１１１１８」の買上商品に、クーポン２が割り付けられる。次に、この図に示すように、クーポン番号「１」の割引額「２００」円以上の価格である商品番号「１１１１１」「１１１１５」の買上商品のうち、低い価格である商品番号「１１１１１」の買上商品に、クーポン１が割り付けられる。
以下、図１１のフロー図を用いて、説明をする。
【００６３】
クーポン１が入力され、次にクーポン番号「２」の割引サービス（以下、クーポン２という）が入力され（Ｓ１０１）、商品番号「１１１１８、「１１１１７」、「１１１１１」「１１１１５」の順に買上商品が登録される（Ｓ１０２）。
【００６４】
この場合、ステップ１０４にて、割引対象となる買上商品（商品番号「１１１１８」、「１１１１７」、「１１１１１」）があると判定される。次に、ステップＳ１０５にて、割引額が最も高額な「３００」円（図５）であるクーポン２が選択される。次に、ステップＳ１０６にて、その割引額「３００」円以上の価格の買上商品として、価格「３００」円である商品番号「１１１１８」（図４）の買上商品があると判定され、ステップＳ１０７にて、商品番号「１１１１８」の買上商品に、クーポン２が割り付けられる。
次に、ステップＳ１０４にて、割引対象となる買上商品（商品番号「１１１１７」、「１１１１１」）があると判定される。次に、ステップＳ１０５にて、残りの未割り付けのクーポンの中で（本例では、クーポン１のみ）割引額が最も高額な「２００」円（図５）であるクーポン１が選択される。次に、ステップＳ１０６にて、その割引額「２００」円以上の価格の買上商品として、価格「２００」円である商品番号「１１１１１」（図４）の買上商品があると判定され、ステップＳ１０７にて、商品番号「１１１１１」の買上商品に、クーポン１が割り付けられる。
【００６５】
この場合、商品番号「１１１１８」「１１１１１」の商品は、全額割り引かれ、買上商品の合計金額は、「４００」円となる。
仮に、登録順に割引サービスを適用したとすると、商品番号「１１１１８」、「１１１１７」の買上商品に、それぞれ、割引額「２００」円、「３００」円の割引サービスが割り付けられる。この場合、商品番号「１１１１７」、「１１１１８」の買上商品は、それぞれ、価格「２００」円、「１５０」円が割り引かれ、買上商品の合計金額は、「６００」円となり、本実施形態の割り付け方法を適用した場合比較し、合計金額が「２００」円高くなってしまう。
なお、この場合、割付商品決定部１０７は、割引額の高低関係が、該割引額の割引サービスを割り付ける商品の価格の高低関係と一致するように、前記割引サービスを割り付ける商品を決定している。
【００６６】
このように、本実施形態によれば、ＰＯＳ端末装置１は、受け付けた割引サービスによる金額情報と、割引サービスの適用可能な商品の価格とに基づいて、割引サービスによる割引額が最大になるように、割引サービスを割り付ける商品を決定する。これにより、クーポン券等の割引サービスを、確実かつ迅速に、適切な商品に割り付けることができる。
【００６７】
また、本実施形態によれば、ＰＯＳ端末装置１は、商品価格が割引額以上である割引サービスの適用可能な商品を、優先して割引サービスを割り付ける商品とする。これにより、当該商品から割引額を全て割り引くことができ、割引サービスによる割引が最大となる適切な商品に割引サービスを割り付けることができる。
【００６８】
また、本実施形態によれば、ＰＯＳ端末装置１は、商品価格が割引額以上である割引サービスの適用可能な商品がない場合、適用可能な商品のうち価格が最も高い商品に、割引サービスを割り付ける。これにより、当該価格の全額を割り引くことができ、割引サービスによる割引が最大となる適切な商品に割引サービスを割り付けることができる。
【００６９】
なお、上記実施形態において、割引サービスによる金額情報が割引額である場合について説明をしたが、本発明はこれに限らず、割引サービスによる金額情報は割引率であってもよい。この場合、割付商品決定部１０７は、価格が高い割引対象となる買上商品の順に、割引率が高い順の割引サービスを割り付ける商品を決定する。
例えば、クーポン１、クーポン２の割引サービスがある場合であって、それぞれの割引率である「１０％」「２０％」の割引サービスを１回ずつ割り付ける場合、クーポン２を、１番高い価格の割引対象となる買上商品に割り付け、クーポン１を、２番目に高い価格の割引対象となる買上商品に割り付ける。
また、割引サービスによる金額情報が割引額である場合に、割付商品決定部１０７は、価格が高い割引対象となる買上商品の順に、割引率が高い順の割引サービスを割り付ける商品を決定してもよい。
【００７０】
また、上記実施形態において、割付商品決定部１０７は、買上商品が本実施形態に係る割引サービス以外の割引（以下、他の割引という）を割り付ける対象となる場合、該買上商品を、割引サービスを割り付ける商品として決定しないとしてもよい。具体的に、ＰＯＳ端末装置１は、予め商品番号と他の割引の有無とを対応付けて記憶し、例えば、図１１のステップＳ１０４にて、買上商品の商品番号に対応する情報が、他の割引が有ることを示す情報である場合、当該商品を割引対象となる買上商品でないと判定する。
これにより、ＰＯＳ端末装置１は、前記割引サービス以外の割引を優先して買上商品に適用することができる。
【００７１】
また、上記実施形態において、クーポンの種類が２種類である場合について説明をしたが、本発明はこれに限らず、２種類以上であってもよい。また、クーポン番号の入力に対応するタッチキーも、２種類以上であってもよい。
また、上記実施形態において、図５における割引サービスを適用可能な商品が属する部門を示す部門番号が、部門番号「０００１」（ドリンク部門）の場合について説明したが、本発明はこれに限らず、他の部門番号、例えば、部門番号「０００２」（フード部門）に適用可能なクーポンを設けてもよい。また、一取引で、異なる部門番号の割引サービス、例えば、部門番号「０００１」に適用可能な割引サービスと、部門番号「０００２」に適用可能な割引サービスとの両方の割引サービスを適用してもよい。
また、割引サービスを受ける商品は部門の括りでなく、個別商品を特定するようにしてもよい。また、部門とは別に割引サービスを受ける商品群をグループとして設定し、該グループを割引サービス情報としてもよい。
【００７２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【図面の簡単な説明】
【００７３】
【図１】この発明の実施形態に係るＰＯＳ端末装置の外観前方斜視図および側面図である。
【図２】本実施形態に係るＰＯＳ端末装置に内蔵される電気回路構成を示す電気ブロック図である。
【図３】本実施形態に係るＰＯＳ端末装置の構成を示す概略ブロック図である。
【図４】本実施形態による商品ファイルのデータ構造の一例を示す概略図である。
【図５】本実施形態によるクーポンファイルのデータ構造の一例を示す概略図である。
【図６】本実施形態によるＲＡＭのメモリマップの一例を示す概略図である。
【図７】本実施形態による登録データエリアのデータ構造の一例を示す概略図である。
【図８】本実施形態によるクーポンデータエリアのデータ構造の一例を示す概略図である。
【図９】本実施形態による買上実績ファイルのデータ構造の一例を示す概略図である。
【図１０】本実施形態による液晶タッチパネルの画面の一例を示す概略図である。
【図１１】本実施形態によるＰＯＳ端末装置の動作を示すフロー図である。
【図１２】本実施形態による割引サービスの割り付けを説明する説明図である。
【図１３】本実施形態による割引サービスの割り付けを説明する別の説明図である。
【図１４】本実施形態による割引サービスの割り付けを説明する別の説明図である。
【符号の説明】
【００７４】
１・・・ＰＯＳ端末装置、２１・・・ＣＰＵ、２２・・・ＨＤＤ、２３・・・ＲＡＭ、１１・・・液晶タッチパネル、１２・・・入力キー、１４・・・顧客側表示器、２４・・・ブザー、２５・・・印字部、２６・・・ドロア、２７・・・計時部
１０１・・・買上商品登録受付部、１０２・・・買上商品記憶部、１０３・・・割引サービス要求受付部、１０４・・・受付割引サービス記憶部、１０５・・・割引サービス情報記憶部、１０６・・・商品情報記憶部、１０７・・・割付商品決定部、１０８・・・精算処理部、１０９・・・買上実績情報記憶部、１１０・・・割引情報集計部
【図１】
2010049567.tif 000003
【図２】
2010049567.tif 000004
【図３】
2010049567.tif 000005
【図４】
2010049567.tif 000006
【図５】
2010049567.tif 000007
【図６】
2010049567.tif 000008
【図７】
2010049567.tif 000009
【図８】
2010049567.tif 000010
【図９】
2010049567.tif 000011
【図１０】
2010049567.tif 000012
【図１１】
2010049567.tif 000013
【図１２】
2010049567.tif 000014
【図１３】
2010049567.tif 000015
【図１４】
2010049567.tif 000016